(57)【特許請求の範囲】
【請求項１】
複数の組電池の稼働の割合と、前記組電池から負荷へ電力を供給するために電力調整を行う電力調整装置の稼働の割合とを、前記負荷の消費電力に基づいて算出する割合算出部と、
前記割合算出部が算出した割合に基づいて、前記組電池と前記電力調整装置とを稼働させる稼働部と、
電力計が測定した前記負荷の消費電力の値を取得する電力値取得部とを有し、
前記割合算出部は、前記電力値取得部が取得した消費電力の値に基づいて、前記複数の組電池の稼働の割合と前記電力調整装置の稼働の割合とを算出し、
前記電力値取得部は、前記電力計が測定した前記負荷の消費電力の値を監視し、前記電力計が測定した前記負荷の消費電力の値に所定の幅の変動が生じたときに、該変動が生じた消費電力の値を取得する電力制御装置。
【請求項２】
請求項１に記載の電力制御装置において、
前記割合算出部は、前記負荷の消費電力が小さいほど、前記組電池の稼働の割合および前記電力調整装置の稼働の割合を低い値に算出する電力制御装置。
【請求項３】
請求項１または請求項２に記載の電力制御装置において、
前記割合算出部は、前記負荷の消費電力に基づいて、前記複数の組電池のうち稼働する組電池の組電池数を算出し、
前記稼働部は、前記割合算出部が算出した組電池数の組電池を稼働させる電力制御装置。
【請求項４】
請求項３に記載の電力制御装置において、
前記稼働部は、前記複数の組電池それぞれに設けられたスイッチを開閉することで、稼働する組電池数を制御する電力制御装置。
【請求項５】
請求項１から４のいずれか１項に記載の電力制御装置において、
前記電力調整装置が複数の回路から構成されている場合、前記割合算出部は、前記負荷の消費電力に基づいて、前記電力調整装置を構成する複数の回路のうち稼働する回路の回路数を算出し、
前記稼働部は、前記割合算出部が算出した回路数の回路を稼働させる電力制御装置。
【請求項６】
請求項１から５のいずれか１項に記載の電力制御装置において、
前記負荷が、電力系統から電力が供給される一般負荷と、該一般負荷よりも優先的に電力が供給される重要負荷とから構成され、前記電力系統から前記重要負荷への電力の供給ができない場合、前記割合算出部は、前記複数の組電池の稼働の割合と前記電力調整装置の稼働の割合とを算出する電力制御装置。
【請求項７】
請求項１に記載の電力調整装置において、
前記電力値取得部は、前記電力計へ前記負荷の消費電力の値を要求し、該要求に対して前記電力計から出力されてきた前記負荷の消費電力の値を取得する電力制御装置。
【請求項８】
請求項７に記載の電力調整装置において、
前記電力値取得部は、所定のタイミングで前記電力計へ前記負荷の消費電力の値を要求する電力制御装置。
【請求項９】
請求項１から８のいずれか１項に記載の電力制御装置において、
他の装置と当該電力制御装置との間で通信を行う通信部を有し、
前記割合算出部は、前記負荷の消費電力に基づいて、前記通信部が信号を送信する間隔を算出し、
前記稼働部は、前記割合算出部が算出した間隔で、前記通信部から信号を送信させる電力制御装置。
【請求項１０】
電力を消費する負荷と、
複数の組電池と、
前記組電池から前記負荷へ電力を供給するために電力調整を行う電力調整装置と、
電力計が測定した前記負荷の消費電力の値を監視し、前記電力計が測定した前記負荷の消費電力の値に所定の幅の変動が生じたときに、該変動が生じた消費電力の値を取得し、前記複数の組電池の稼働の割合と前記電力調整装置の稼働の割合とを、前記取得した消費電力の値に基づいて算出し、前記算出した割合に基づいて前記組電池と前記電力調整装置とを稼働させる電力制御装置とを有する電力制御システム。
【請求項１１】
電力計が測定した負荷の消費電力の値を監視し、前記電力計が測定した前記負荷の消費電力の値に所定の幅の変動が生じたときに、該変動が生じた消費電力の値を取得する処理と、
複数の組電池の稼働の割合と、前記組電池から前記負荷へ電力を供給するために電力調整を行う電力調整装置の稼働の割合とを、前記取得した消費電力の値に基づいて算出する処理と、
前記算出した割合に基づいて、前記組電池と前記電力調整装置とを稼働させる処理とを行う電力制御方法。
【請求項１２】
コンピュータに、
電力計が測定した負荷の消費電力の値を監視し、前記電力計が測定した前記負荷の消費電力の値に所定の幅の変動が生じたときに、該変動が生じた消費電力の値を取得する手順と、
複数の組電池の稼働の割合と、前記組電池から前記負荷へ電力を供給するために電力調整を行う電力調整装置の稼働の割合とを、前記取得した消費電力の値に基づいて算出する手順と、
前記算出した割合に基づいて、前記組電池と前記電力調整装置とを稼働させる手順とを実行させるためのプログラム。
【発明の詳細な説明】
【技術分野】
【０００１】
本発明は、電力を制御する電力制御装置、電力制御システム、電力制御方法およびプログラムに関する。
【背景技術】
【０００２】
一般的に節電等の消費電力の削減を実施する場合、使用していない負荷の動作を停止させたり、負荷に消費電力を抑制した運転を行わせたりすることで、供給する電力量を削減して省電力化を図っている。ここで、例えば、複数の蓄電池から構成される組電池や、蓄電池から負荷へ電力を供給するために電力調整を行う電力調整装置等の電力を供給する側の装置自体が電力を消費している。そのため、負荷に対して多くの電力を供給する必要が無い場合であっても、システム内で多くの電力が必要となってしまうことが考えられる。
【０００３】
このようなシステムにおける省電力化の対策として、例えば、系統電源から供給される電力と、ソーラーパネルから供給される電力と、バッテリから供給される電力とを用いて、負荷を稼働させるシステムにおいて、所定の時間に、バッテリから負荷に電力を供給するためのコンバータの動作を停止させる技術が考えられている（例えば、特許文献１参照。）。
【先行技術文献】
【特許文献】
【０００４】
【特許文献１】特開２０１４−１６６００１号公報
【発明の概要】
【発明が解決しようとする課題】
【０００５】
特許文献１に記載されたような技術においては、コンバータの動作を停止させてしまうと、バッテリから負荷への電力供給ルートが遮断されるため、バッテリからの電力供給が必要となった場合に、負荷に必要な電力供給を行うことができないという問題点がある。
【０００６】
本発明の目的は、上述した課題を解決する電力制御装置、電力制御システム、電力制御方法およびプログラムを提供することである。
【課題を解決するための手段】
【０００７】
本発明の電力制御装置は、
複数の組電池の稼働の割合と、前記組電池から負荷へ電力を供給するために電力調整を行う電力調整装置の稼働の割合とを、前記負荷の消費電力に基づいて算出する割合算出部と、
前記割合算出部が算出した割合に基づいて、前記組電池と前記電力調整装置とを稼働させる稼働部とを有する。
また、本発明の電力制御システムは、
電力を消費する負荷と、
複数の組電池と、
前記組電池から前記負荷へ電力を供給するために電力調整を行う電力調整装置と、
前記複数の組電池の稼働の割合と前記電力調整装置の稼働の割合とを、前記負荷の消費電力に基づいて算出し、前記算出した割合に基づいて前記組電池と前記電力調整装置とを稼働させる電力制御装置とを有する。
また、本発明の電力制御方法は、
複数の組電池の稼働の割合と、前記組電池から負荷へ電力を供給するために電力調整を行う電力調整装置の稼働の割合とを、前記負荷の消費電力に基づいて算出する処理と、
前記算出した割合に基づいて、前記組電池と前記電力調整装置とを稼働させる処理とを行う。
また、本発明のプログラムは、
コンピュータに実行させるためのプログラムであって、
複数の組電池の稼働の割合と、前記組電池から負荷へ電力を供給するために電力調整を行う電力調整装置の稼働の割合とを、前記負荷の消費電力に基づいて算出する手順と、
前記算出した割合に基づいて、前記組電池と前記電力調整装置とを稼働させる手順とを実行させる。
【発明の効果】
【０００８】
以上説明したように、本発明においては、負荷に必要な電力供給を行いながら、省電力化を実現することができる。
【図面の簡単な説明】
【０００９】
【図１】本発明の電力制御装置の第１の実施の形態を示す図である。
【図２】図１に示した電力制御装置における電力制御方法を説明するためにフローチャートである。
【図３】本発明の電力制御装置の第２の実施の形態を示す図である。
【図４】図３に示した電力制御装置の内部構成の一例を示す図である。
【図５】図３に示した電力調整装置の内部構成の一例を示す図である。
【図６】図３に示した組電池の内部構成の一例を示す図である。
【図７】図３に示した電力制御装置における電力制御方法を説明するためにフローチャートである。
【図８】図３に示した電力制御システムにおいて、各要素が消費する消費電力の一例を示す図である。
【図９】図８に示した電力を消費する電力制御システムにおいて、電力制御を行った様子の一例を示す図である。
【図１０】本発明の電力制御装置の第３の実施の形態を示す図である。
【図１１】図１０に示した電力制御装置の内部構成の一例を示す図である。
【図１２】図１０に示した電力調整装置の内部構成の一例を示す図である。
【図１３】図１０に示した電力制御装置における電力制御方法を説明するためにフローチャートである。
【図１４】本発明の電力制御装置の第４の実施の形態を示す図である。
【図１５】図１４に示した電力制御装置の内部構成の一例を示す図である。
【図１６】図１４に示した電力制御装置における電力制御方法を説明するためにフローチャートである。
【図１７】本発明の電力制御装置の第５の実施の形態を示す図である。
【図１８】図１７に示した電力制御装置の内部構成の一例を示す図である。
【図１９】図１７に示した電力制御装置における電力制御方法を説明するためにフローチャートである。
【発明を実施するための形態】
【００１０】
以下に、本発明の実施の形態について図面を参照して説明する。
（第１の実施の形態）
【００１１】
図１は、本発明の電力制御装置の第１の実施の形態を示す図である。本形態における電力制御装置１００は図１に示すように、割合算出部１１０と、稼働部１２０とを具備している。なお、図１には、本形態における電力制御装置１００に設けられた構成要素のうち、本実施の形態に関わる主要な構成要素の一例を示す。
【００１２】
割合算出部１１０は、複数の組電池の稼働の割合と電力調整装置の稼働の割合とを、負荷の消費電力に基づいて算出する。この複数の組電池それぞれは、自身を監視する監視機能を具備する。また、この負荷とは、電力制御装置１００が接続されたシステムにおいて、電力系統や組電池から電力を供給する対象となる装置やシステム等であって、供給された電力を用いて所定の動作を行う電化装置や電化システムである。電力調整装置は、組電池から負荷へ電力を供給するために電力調整を行う装置である。稼働部１２０は、割合算出部１１０が算出した割合に基づいて、組電池と電力調整装置とを稼働させる。
【００１３】
以下に、図１に示した電力制御装置１００における電力制御方法について説明する。図２は、図１に示した電力制御装置１００における電力制御方法を説明するためにフローチャートである。
【００１４】
まず、割合算出部１１０が、負荷の消費電力値を取得する（ステップＳ１）。ここで、負荷の消費電力値は、負荷が通常消費している電力に基づいてあらかじめ算出された値であり、電力制御装置１００に具備されたメモリ（不図示）や、電力制御装置１００からアクセス可能な記憶装置に記憶されている。すると、割合算出部１１０は、取得した消費電力値に基づいて、組電池の稼働の割合と電力調整装置の稼働の割合とを算出する（ステップＳ２）。ここで、割合算出部１１０は、取得した消費電力値が小さいほど、組電池の稼働の割合および電力調整装置の稼働の割合を低い値に算出し、取得した消費電力値が大きいほど、組電池の稼働の割合および電力調整装置の稼働の割合を高い値に算出する。
【００１５】
続いて、稼働部１２０は、割合算出部１１０が算出した割合に基づいて、組電池と電力調整装置とを稼働させる（ステップＳ３）。例えば、稼働部１２０は、割合算出部１１０が算出した割合が「３割」であったとすると、システムに設けられた組電池の３割を稼働させ、システムに設けられた電力調整装置の３割を稼働させる。また、この割合は、物理的な割合（電池の数や回路の数）や機能的な割合が考えられるが、電力消費の割合であっても良い。つまり、稼働部１２０は、組電池の３割を稼働させる場合、組電池全体を稼働させた場合の消費電力に対して３割の電力を消費するように組電池を稼働させ、電力調整装置全体を稼働させた場合の消費電力に対して３割の電力を消費するように電力調整装置を稼働させるものであっても良い。
【００１６】
このように、負荷の消費電力値に応じて、稼働させる組電池および電力調整装置の割合を制御することで、負荷に必要な電力供給を行いながら、省電力化を実現することができる。
（第２の実施の形態）
【００１７】
図３は、本発明の電力制御装置の第２の実施の形態を示す図である。本形態における電力制御装置１０１は図３に示すように、電力系統および組電池２００−１〜２００−４から一般負荷５００および重要負荷５１０へ電力が供給される電力制御システムに用いられている。重要負荷５１０は、一般負荷５００よりも優先的に電力が供給されるものである。重要負荷５１０は、例えば、電力系統から給電ができない場合、つまり、停電が発生した場合であっても、動作が停止してしまうことを避けなければならない負荷である。または、重要負荷５１０は、電力系統から十分な電力の供給ができない場合、つまり、何らかの原因で十分な電力が発電所や送電設備等から得られない場合、一般負荷５００よりも優先して給電が行われなければならない負荷である。重要負荷５１０には、電力系統から供給される電力が、電力調整装置３００および無停電電源装置であるＵＰＳ（Ｕｎｉｎｔｅｒｒｕｐｔｉｂｌｅ  Ｐｏｗｅｒ  Ｓｕｐｐｌｙ）４００を介して供給されている。また、組電池２００−１〜２００−４から供給される電力は、直流−直流変換を行うＤＣＤＣ変換器２３０を介して一般負荷５００および重要負荷５１０へ供給される。なお、ＵＰＳ４００は重要負荷５１０への電力の供給の瞬断を回避するための装置であり、本システムにおいては必ずしも必要となるものではない。
【００１８】
電力制御装置１０１は、総合ＢＭＵ（Ｂａｔｔｅｒｙ  Ｍａｎａｇｅｍｅｎｔ  Ｕｎｉｔ）２１０と、電力調整装置３００とに接続している。総合ＢＭＵ２１０は、組電池２００−１〜２００−４の状態を監視・制御する。また、総合ＢＭＵ２１０は、ＳＷ２２０−１〜２２０−４の開閉を制御することで、組電池２００−１〜２００−４をシステムから切り離したり接続したりする。電力調整装置３００は、組電池２００−１〜２００−４から一般負荷５００および重要負荷５１０へ電力を供給するために電力調整を行う装置であり、例えば、ＰＣＳ（Ｐｏｗｅｒ  Ｃｏｎｄｉｔｉｏｎｉｎｇ  Ｓｙｓｔｅｍ）である。組電池２００−１〜２００−４それぞれは、複数の電池セルから構成され、さらに、その複数の電池セルの状態を監視・制御する監視機能を具備する。なお、図３においては、組電池が４つである場合を例に挙げて示しているが、その数に限らない。また、図３中、電力線を太線で示している（以降の図面において同じ）。
【００１９】
図４は、図３に示した電力制御装置１０１の内部構成の一例を示す図である。図３に示した電力制御装置１０１は図４に示すように、割合算出部１１１と、稼働部１２１とを具備している。なお、図４には、図３に示した電力制御装置１０１に設けられた構成要素のうち、本実施の形態に関わる主要な構成要素の一例を示す。
【００２０】
割合算出部１１１は、組電池２００−１〜２００−４の稼働の割合と電力調整装置３００の稼働の割合とを、一般負荷５００および重要負荷５１０の消費電力に基づいて算出する。このとき、割合算出部１１１は、組電池２００−１〜２００−４のうち稼働する組電池の組電池数を算出する。また、特に割合算出部１１１は、電力系統から重要負荷５１０への電力の供給ができない場合、組電池２００−１〜２００−４の稼働の割合と電力調整装置３００の稼働の割合とを算出する。
【００２１】
稼働部１２１は、割合算出部１１１が算出した割合に基づいて、組電池２００−１〜２００−４と電力調整装置３００とを稼働させる。割合算出部１１１が組電池２００−１〜２００−４のうち稼働する組電池の組電池数を算出した場合、稼働部１２１は、割合算出部１１１が算出した組電池数の組電池を稼働させる。このとき、稼働部１２１は、ＳＷ２２０−１〜２２０−４の開閉を総合ＢＭＵ２１０へ指示し、総合ＢＭＵ２１０がＳＷ２２０−１〜２２０−４を開閉することで、割合算出部１１１が算出した組電池数の組電池を稼働させる。
【００２２】
図５は、図３に示した電力調整装置３００の内部構成の一例を示す図である。図３に示した電力調整装置３００は図５に示すように、インバータ３１０と、ＢＰ（バイパス）リレー３２０とを具備している。なお、図５には、図３に示した電力調整装置３００に設けられた構成要素のうち、本実施の形態に関わる主要な構成要素の一例を示す。
【００２３】
インバータ３１０は、ＤＣＤＣ変換器２３０から出力されてきた直流電力を交流電力へ変換する回路である。ＢＰリレー３２０は、電力系統から電力が供給されない場合、ＤＣＤＣ変換器２３０からインバータ３１０で変換された電力の一般負荷５００への供給を制御するために、一般負荷５００への電力線を遮断するスイッチである。なお、ＢＰリレー３２０は、電力系統から電力が供給されている場合は、電力系統から供給されている電力を重要負荷５１０へ供給するために、電力系統から重要負荷５１０への電力線を接続する。
【００２４】
図６は、図３に示した組電池２００−１の内部構成の一例を示す図である。図３に示した組電池２００−１は図６に示すように、監視部２０１と、遮断ＳＷ２０２と、電池セル２０３−１〜２０３−ｎ（ｎは自然数）とを具備している。なお、図６には、図３に示した組電池２００−１に設けられた構成要素のうち、本実施の形態に関わる主要な構成要素の一例を示す。また、図３に示した組電池２００−２〜２００−４の内部構成については、組電池２００−１の内部構成と同じである。また、監視部２０１と電池セル２０３−１〜２０３−ｎとは、状態センス線２０４で接続されている。
【００２５】
監視部２０１は、電池セル２０３−１〜２０３−ｎの状態を監視する。例えば、監視部２０１は、電池セル２０３−１〜２０３−ｎそれぞれの出力電圧が所定の範囲内にあるかどうか、電池セル２０３−１〜２０３−ｎそれぞれの温度が所定の温度を超えていないか等を、状態センス線２０４を介して監視する。監視部２０１は、それらの結果に基づいて、異常となる電池セルが存在すると判定した場合は、遮断ＳＷ２０２を開放して、組電池２００−１をシステムから切り離す。遮断ＳＷ２０２は、監視部２０１からの指示に基づいて、短絡・開放を行うスイッチである。電池セル２０３−１〜２０３−ｎは、例えば、組電池２００−１がシステムと接続されている場合、システムへ電力を供給する蓄電池である。また、電池セル２０３−１〜２０３−ｎは、組電池２００−１がシステムと接続されている場合、電力系統から電力が供給されていれば、その供給されている電力を用いて自身の充電を行う。
【００２６】
以下に、図３に示した電力制御装置１０１における電力制御方法について説明する。ここでは、図３に示した電力制御装置１０１が、稼働する組電池２００−１〜２００−４の数と稼働する電力調整装置３００の割合とを制御する場合を例に挙げて説明する。図７は、図３に示した電力制御装置１０１における電力制御方法を説明するためにフローチャートである。
【００２７】
まず、割合算出部１１１が、一般負荷５００および重要負荷５１０の消費電力値を取得する（ステップＳ１１）。ここで、一般負荷５００および重要負荷５１０の消費電力値は、一般負荷５００および重要負荷５１０が通常消費している電力に基づいてあらかじめ算出された値であり、電力制御装置１０１に具備されたメモリ（不図示）や、電力制御装置１０１からアクセス可能な記憶装置に記憶されている。例えば、電力制御装置１０１が、一般負荷５００および重要負荷５１０の消費電力を常時測定し、季節ごと、曜日ごと、時間帯等の区分けに基づいて統計を取り、それぞれの区分けにおいて平均値を算出する等の所定の計算を行い、その結果をあらかじめ記憶しておくものであっても良い。
【００２８】
すると、割合算出部１１１は、取得した消費電力値に基づいて、組電池２００−１〜２００−４のうち稼働する組電池の組電池数を算出する（ステップＳ１２）。ここで、割合算出部１１１は、取得した消費電力値が小さいほど、組電池２００−１〜２００−４のうち稼働する組電池の組電池数を少ない値に算出し、取得した消費電力値が大きいほど、組電池２００−１〜２００−４のうち稼働する組電池の組電池数を多い値に算出する。また、割合算出部１１１は、取得した消費電力値に基づいて、稼働する電力調整装置３００の割合を算出する（ステップＳ１３）。ここで、割合算出部１１１は、取得した消費電力値が小さいほど、稼働する電力調整装置３００の割合を低い値に算出し、取得した消費電力値が大きいほど、稼働する電力調整装置３００の割合を高い値に算出する。なお、ステップＳ１２の処理とステップＳ１３の処理とは、どちらの処理を先に行ってもかまわない。
【００２９】
続いて、稼働部１２１は、割合算出部１１１が算出した数および割合に基づいて、組電池２００−１〜２００−４と電力調整装置３００とを稼働させる（ステップＳ１４）。具体的には、稼働部１２１は、割合算出部１１１が算出した組電池数の組電池を稼働させる。このとき、稼働部１２１は、ＳＷ２２０−１〜２２０−４の開閉を総合ＢＭＵ２１０へ指示し、総合ＢＭＵ２１０がＳＷ２２０−１〜２２０−４を開閉することで、割合算出部１１１が算出した組電池数の組電池を稼働させる。例えば、稼働部１２１は、割合算出部１１１が算出した組電池が「１」であったとすると、組電池２００−１〜２００−４のうちの１つの組電池を稼働させる。このとき、組電池２００−１〜２００−４に使用する優先順位が設定されている場合、稼働部１２１は、その優先順位に従って組電池２００−１〜２００−４を稼働させるものであっても良い。例えば、優先順位の高いものから順に、組電池２００−１、組電池２００−２、組電池２００−３、組電池２００−４と設定されている場合、稼働部１２１は、総合ＢＭＵ２１０に対して、ＳＷ２２０−１を閉じ、ＳＷ２２０−２〜２２０−４を開放するように指示し、総合ＢＭＵ２１０がその指示に従ってＳＷ２２０−１を閉じ、ＳＷ２２０−２〜２２０−４を開放して、組電池２００−１を稼働させるものであっても良い。
【００３０】
図８は、図３に示した電力制御システムにおいて、各要素が消費する消費電力の一例を示す図である。図８に示した例では、停電により電力系統からの電力の供給ができない状態で、一般負荷５００に対しては電力を供給する必要がない場合の例を示す。図８において各構成要素に記載している数値は、それぞれが動作する際に構成要素自体が消費する消費電力である。図８に示すように、電力制御装置１０１は０．０３ｋＷの電力を消費する。また、組電池２００−１〜２００−４はそれぞれ０．１ｋＷの電力を消費する。また、ＤＣＤＣ変換器２３０は０．１ｋＷの電力を消費する。また、電力調整装置３００は０．６ｋＷの電力を消費する。また、組電池２００−１〜２００−４それぞれの容量は１５ｋＷｈであり、その出力電力は１０ｋＷである。また、電力調整装置３００から出力可能な電力は１０ｋＷである。なお、重要負荷５１０は１ｋＷの電力を消費する。
【００３１】
図８に示した電力制御システムでは、重要負荷５１０へ１ｋＷの電力を供給する必要がある一方、電力を供給する側のシステムにおいて、
（０．０３＋（０．１×４）＋０．１＋０．６）＝１．１３ｋＷ
の電力が消費される。したがって、組電池２００−１〜２００−４から供給される電力のうち、重要負荷５１０へ供給できる電力の割合は、
１／（１＋１．１３）×１００＝４６．９％
となる。つまり、効率的な電力の供給を行うことができないという結果になってしまう。
【００３２】
図９は、図８に示した電力を消費する電力制御システムにおいて、電力制御を行った様子の一例を示す図である。図９には、電力制御装置１０１は、重要負荷５１０の消費電力１ｋＷから、稼働させる組電池の数を１つと算出し、また、稼働させる電力調整装置３００の割合を０．２ｋＷの部分と算出した場合の例を示している。電力制御装置１０１は、総合ＢＭＵ２１０を介して組電池２００−１に接続されているＳＷ２２０−１を短絡し、組電池２００−２〜２００−４それぞれに接続されているＳＷ２２０−２〜２２０−４を開放し、電力調整装置３００の０．２ｋＷの部分のみを駆動する。この場合、電力を供給する側のシステムにおいて、
（０．０３＋（０．１×１）＋０．１＋０．２）＝０．４３ｋＷ
の電力が消費される。したがって、組電池２００−１から供給される電力のうち、重要負荷５１０へ供給できる電力の割合は、
１／（１＋０．４３）×１００＝６９．９％
となる。つまり、図８に示した場合よりも効率的な電力の供給を行うことができる。その後、組電池２００−１から出力される容量が少なくなったら、電力制御装置１０１は、総合ＢＭＵ２１０に対して、組電池２００−１を切り離し、組電池２００−２を接続する指示を行う。すると、総合ＢＭＵ２１０は、ＳＷ２２０−１を開放し、ＳＷ２２０−２を短絡する。このような、電力制御装置１０１が電力を供給する組電池の切り替えを行う場合、図３に示したようにＵＰＳ４００を具備しておけば、重要負荷５１０への電力供給の瞬断を防止することができる。
【００３３】
その後、復電により電力系統からの電力の供給が再開されると、電力系統から供給される電力を用いて組電池２００−２の充電が行われる。組電池２００−２の充電が完了すると、電力制御装置１０１は、総合ＢＭＵ２１０に対して、組電池２００−２を切り離し、組電池２００−１を接続する指示を行う。すると、総合ＢＭＵ２１０は、ＳＷ２２０−２を開放し、ＳＷ２２０−１を短絡する。こうすることで、電力系統から供給される電力を用いて組電池２００−１の充電が行われる。組電池２００−１の充電が完了すると、電力制御装置１０１は、総合ＢＭＵ２１０に対して、組電池２００−１〜２００−４を接続する指示を行う。すると、総合ＢＭＵ２１０は、ＳＷ２２０−１〜２２０−４を短絡する。
【００３４】
このように、重要負荷の消費電力値に応じて、稼働させる組電池の数および電力調整装置の割合を制御することで、重要負荷に必要な電力供給を行いながら、省電力化を実現することができる。
（第３の実施の形態）
【００３５】
図１０は、本発明の電力制御装置の第３の実施の形態を示す図である。本形態における電力制御装置１０２は図１０に示すように、電力系統および組電池２００−１〜２００−４から一般負荷５００および重要負荷５１０へ電力が供給される電力制御システムに用いられている。組電池２００−１〜２００−４、総合ＢＭＵ２１０、ＳＷ２２０−１〜２２０−４、ＤＣＤＣ変換器２３０、ＵＰＳ４００、一般負荷５００および重要負荷５１０は、図３に示したものと同じものである。
【００３６】
図１１は、図１０に示した電力制御装置１０２の内部構成の一例を示す図である。図１０に示した電力制御装置１０２は図１１に示すように、割合算出部１１２と、稼働部１２２とを具備している。なお、図１１には、図１０に示した電力制御装置１０２に設けられた構成要素のうち、本実施の形態に関わる主要な構成要素の一例を示す。
【００３７】
割合算出部１１２は、組電池２００−１〜２００−４の稼働の割合と電力調整装置３０１の稼働の割合とを、一般負荷５００および重要負荷５１０の消費電力に基づいて算出する。このとき、割合算出部１１２は、組電池２００−１〜２００−４のうち稼働する組電池の組電池数を算出する。また、電力調整装置３０１が複数の回路から構成されている場合、割合算出部１１２は、電力調整装置３０１を構成する複数の回路のうち稼働する回路の回路数を算出する。また、特に割合算出部１１２は、電力系統から重要負荷５１０への電力の供給ができない場合、稼働させる組電池２００−１〜２００−４の電池数と電力調整装置３００の回路数とを算出する。
【００３８】
稼働部１２２は、割合算出部１１２が算出した数に基づいて、組電池２００−１〜２００−４と電力調整装置３０１とを稼働させる。割合算出部１１２が組電池２００−１〜２００−４のうち稼働する組電池の組電池数を算出した場合、稼働部１２２は、割合算出部１１２が算出した組電池数の組電池を稼働させる。このとき、稼働部１２２は、ＳＷ２２０−１〜２２０−４の開閉を総合ＢＭＵ２１０へ指示し、総合ＢＭＵ２１０がＳＷ２２０−１〜２２０−４を開閉することで、割合算出部１１２が算出した組電池数の組電池を稼働させる。また、割合算出部１１２が電力調整装置３０１を構成する複数の回路のうち稼働する回路の回路数を算出した場合、稼働部１２２は割合算出部１１２が算出した回路数の回路を稼働させる。
【００３９】
図１２は、図１０に示した電力調整装置３０１の内部構成の一例を示す図である。図１０に示した電力調整装置３０１は図１２に示すように、ＰＣＳ回路３３０−１〜３３０−３を具備している。ＰＣＳ回路３３０−１〜３３０−３は、個々が個別に電力調整装置３０１の役割を果たすことができる回路である。例えば、ＰＣＳ回路３３０−１〜３３０−３それぞれが３．３ｋＷの電力を出力可能であり、電力調整装置３０１全体としては、
３．３ｋＷ×３＝９．９ｋＷ
の電力を出力可能な構成である。また、ＰＣＳ回路３３０−１〜３３０−３は、電力調整装置３０１に増設または電力調整装置３０１から減設可能な回路ユニットであっても良い。なお、ＰＣＳ回路３３０−１〜３３０−３それぞれは、図５に示したインバータ３１０と、ＢＰリレー３２０とを具備している。また、図１２に示した例では、電力調整装置３０１を構成するＰＣＳ回路が３つである場合を挙げているが、その数に限らない。
【００４０】
以下に、図１０に示した電力制御装置１０２における電力制御方法について説明する。図１３は、図１０に示した電力制御装置１０２における電力制御方法を説明するためにフローチャートである。
【００４１】
まず、割合算出部１１２が、一般負荷５００および重要負荷５１０の消費電力値を取得する（ステップＳ２１）。ここで、一般負荷５００および重要負荷５１０の消費電力値は、一般負荷５００および重要負荷５１０が通常消費している電力に基づいてあらかじめ算出された値であり、電力制御装置１０２に具備されたメモリ（不図示）や、電力制御装置１０２からアクセス可能な記憶装置に記憶されている。例えば、電力制御装置１０２が、一般負荷５００および重要負荷５１０の消費電力を常時測定し、季節ごと、曜日ごと、時間帯等の区分けに基づいて統計を取り、それぞれの区分けにおいて平均値を算出する等の所定の計算を行い、その結果をあらかじめ記憶しておくものであっても良い。
【００４２】
すると、割合算出部１１２は、取得した消費電力値に基づいて、組電池２００−１〜２００−４のうち稼働する組電池の組電池数を算出する（ステップＳ２２）。ここで、割合算出部１１２は、取得した消費電力値が小さいほど、組電池２００−１〜２００−４のうち稼働する組電池の組電池数を少ない値に算出し、取得した消費電力値が大きいほど、組電池２００−１〜２００−４のうち稼働する組電池の組電池数を多い値に算出する。また、割合算出部１１２は、取得した消費電力値に基づいて、電力調整装置３０１を構成するＰＣＳ回路３３０−１〜３３０−３のうち稼働するＰＣＳ回路の回路数を算出する（ステップＳ２３）。ここで、割合算出部１１２は、取得した消費電力値が小さいほど、ＰＣＳ回路３３０−１〜３３０−３のうち稼働する回路の回路数を少ない値に算出し、取得した消費電力値が大きいほど、ＰＣＳ回路３３０−１〜３３０−３のうち稼働する回路の回路数を多い値に算出する。なお、ステップＳ２２の処理とステップＳ２３の処理とは、どちらの処理を先に行ってもかまわない。
【００４３】
続いて、稼働部１２２は、割合算出部１１２が算出した数に基づいて、組電池２００−１〜２００−４と電力調整装置３０１とを稼働させる（ステップＳ２４）。具体的には、稼働部１２２は、割合算出部１１２が算出した組電池数の組電池を稼働させる。このとき、稼働部１２２は、ＳＷ２２０−１〜２２０−４の開閉を総合ＢＭＵ２１０へ指示し、総合ＢＭＵ２１０がＳＷ２２０−１〜２２０−４を開閉することで、割合算出部１１２が算出した組電池数の組電池を稼働させる。例えば、稼働部１２２は、割合算出部１１２が算出した組電池が「１」であったとすると、組電池２００−１〜２００−４のうちの１つの組電池を稼働させる。このとき、組電池２００−１〜２００−４に使用する優先順位が設定されている場合、稼働部１２２は、その優先順位に従って組電池２００−１〜２００−４を稼働させるものであっても良い。例えば、優先順位の高いものから順に、組電池２００−１、組電池２００−２、組電池２００−３、組電池２００−４と設定されている場合、稼働部１２２は、総合ＢＭＵ２１０に対して、ＳＷ２２０−１を閉じ、ＳＷ２２０−２〜２２０−４を開放するように指示し、総合ＢＭＵ２１０がその指示に従ってＳＷ２２０−１を閉じ、ＳＷ２２０−２〜２２０−４を開放して、組電池２００−１を稼働させるものであっても良い。また、稼働部１２２は、電力調整装置３０１を構成するＰＣＳ回路３３０−１〜３３０−３のうち、割合算出部１１２が算出した回路数の回路を稼働させる。
【００４４】
このように、重要負荷の消費電力値に応じて、稼働させる組電池の数および電力調整装置を構成する回路の数を制御することで、重要負荷に必要な電力供給を行いながら、省電力化を実現することができる。
（第４の実施の形態）
【００４５】
図１４は、本発明の電力制御装置の第４の実施の形態を示す図である。本形態における電力制御装置１０３は図１４に示すように、電力系統および組電池２００−１〜２００−４から一般負荷５００および重要負荷５１０へ電力が供給される電力制御システムに用いられている。組電池２００−１〜２００−４、総合ＢＭＵ２１０、電力調整装置３００、ＵＰＳ４００、一般負荷５００および重要負荷５１０は、図３に示したものと同じものである。重要負荷５１０の近傍に、重要負荷５１０の消費電力を測定する電力計６００が具備されている。電力計６００は、測定した電力値を電力制御装置１０３へ出力する。また、組電池２００−１〜２００−４それぞれにＤＣＤＣ変換器２４０−１〜２４０−４それぞれが接続されている。ＤＣＤＣ変換器２４０−１〜２４０−４は、組電池２００−１〜２００−４の出力電圧値を互いに揃える。
【００４６】
図１５は、図１４に示した電力制御装置１０３の内部構成の一例を示す図である。図１４に示した電力制御装置１０３は図１５に示すように、割合算出部１１３と、稼働部１２３と、電力値取得部１３０とを具備している。なお、図１５には、図１４に示した電力制御装置１０３に設けられた構成要素のうち、本実施の形態に関わる主要な構成要素の一例を示す。
【００４７】
電力値取得部１３０は、電力計６００から出力されてきた重要負荷５１０の消費電力値を取得する。この取得の方法は、例えば、電力値取得部１３０があらかじめ設定された周期で電力計６００に対して消費電力値を要求し、その要求に対して電力計６００から出力されてきた消費電力値を取得するものであっても良い。また、電力計６００から不定期または定期的に消費電力値が出力されてくると、電力値取得部１３０がその出力されてきた消費電力値を取り込むものであっても良い。また、電力値取得部１３０は、電力計６００が測定した消費電力値を常時監視しておき、測定された消費電力値に所定の幅の変動が生じたときに、その変動が生じた消費電力値を取り込むものであっても良い。また、電力値取得部１３０は取得した消費電力値を割合算出部１１３へ出力する。
【００４８】
割合算出部１１３は、組電池２００−１〜２００−４の稼働の割合と電力調整装置３００の稼働の割合とを、電力値取得部１３０から出力されてきた消費電力値に基づいて算出する。このとき、割合算出部１１３は、組電池２００−１〜２００−４のうち稼働する組電池の組電池数を算出する。また、割合算出部１１３は、稼働する電力調整装置３００の割合を算出する。また、特に割合算出部１１３は、電力系統から重要負荷５１０への電力の供給ができない場合、稼働させる組電池２００−１〜２００−４の数と電力調整装置３００の割合とを算出する。
【００４９】
稼働部１２３は、割合算出部１１３が算出した電池数に基づいて、組電池２００−１〜２００−４を稼働させる。このとき、稼働部１２３は、組電池２００−１〜２００−４のうち、稼働させる電池数を総合ＢＭＵ２１０へ指示し、総合ＢＭＵ２１０が組電池数の組電池を稼働させる。また、このとき、稼働部１２３は、ＤＣＤＣ変換器２４０−１〜２４０−４のうち、稼働させる組電池と接続されているＤＣＤＣ変換器のみを稼働させる。例えば、稼働部１２３は、組電池２００−１〜２００−２を稼働させる場合、ＤＣＤＣ変換器２４０−１〜２４０−２を稼働させる。また、稼働部１２３は、割合算出部１１３が算出した割合に基づいて、電力調整装置３００を稼働させる。
【００５０】
なお、第３の実施の形態のように、電力調整装置３００が独立して動作可能な複数の回路から構成されている場合、割合算出部１１３は、電力値取得部１３０から出力されてきた電力値に基づいて、稼働する電力調整装置３００の回路数を算出するものであっても良い。また、電力系統から電力が供給されている場合、一般負荷５００の消費電力を測定する電力計を一般負荷５００の近傍に設け、その電力計が測定した一般負荷５００の消費電力値についても、割合算出部１１３における算出に用いるものであっても良い。
【００５１】
以下に、図１４に示した電力制御装置１０３における電力制御方法について説明する。ここでは、電力系統からの電力の供給が停止している（一般負荷５００には電力を供給しない）状態で、図１４に示した電力制御装置１０３が、稼働する組電池２００−１〜２００−４の数と稼働する電力調整装置３００の割合とを制御する場合を例に挙げて説明する。また、電力値取得部１３０が、電力計６００が測定した消費電力値を、あらかじめ設定された周期で取得する場合を例に挙げて説明する。図１６は、図１４に示した電力制御装置１０３における電力制御方法を説明するためにフローチャートである。
【００５２】
まず、電力値取得部１３０が、電力計６００が測定した重要負荷５１０の消費電力値を電力計６００から取得する（ステップＳ３１）。電力値取得部１３０は取得した消費電力値を割合算出部１１３へ出力する。続いて、電力値取得部１３０は、タイマーを起動する（ステップＳ３２）。
【００５３】
すると、割合算出部１１３は、電力値取得部１３０から出力されてきた消費電力値に基づいて、組電池２００−１〜２００−４のうち稼働する組電池の組電池数を算出する（ステップＳ３３）。ここで、割合算出部１１３は、電力値取得部１３０から出力されてきた消費電力値が小さいほど、組電池２００−１〜２００−４のうち稼働する組電池の組電池数を少ない値に算出する。また、割合算出部１１３は、電力値取得部１３０から出力されてきた消費電力値が大きいほど、組電池２００−１〜２００−４のうち稼働する組電池の組電池数を多い値に算出する。また、割合算出部１１３は、電力値取得部１３０から出力されてきた消費電力値に基づいて、稼働する電力調整装置３００の割合を算出する（ステップＳ３４）。ここで、割合算出部１１３は、電力値取得部１３０から出力されてきた消費電力値が小さいほど、稼働する電力調整装置３００の割合を低い値に算出する。また、割合算出部１１３は、電力値取得部１３０から出力されてきた消費電力値が大きいほど、稼働する電力調整装置３００の割合を高い値に算出する。なお、ステップＳ３３の処理とステップＳ３４の処理とは、どちらの処理を先に行ってもかまわない。
【００５４】
続いて、稼働部１２３は、割合算出部１１３が算出した数および割合に基づいて、組電池２００−１〜２００−４と電力調整装置３００とを稼働させる（ステップＳ３５）。具体的には、稼働部１２３は、割合算出部１１３が算出した組電池数の組電池を稼働させる。このとき、稼働部１２３は、組電池２００−１〜２００−４のうち、稼働させる電池数を総合ＢＭＵ２１０へ指示し、総合ＢＭＵ２１０が組電池数の組電池およびその組電池に接続されているＤＣＤＣ変換器を稼働させる。
【００５５】
その後、電力値取得部１３０が、タイマーを起動してから、あらかじめ設定された時間が経過したかどうかを判定する（ステップＳ３６）。具体的には、電力値取得部１３０は、起動しているタイマーがあらかじめ設定された時間をカウントした場合、あらかじめ設定された時間が経過したと判定する。電力値取得部１３０が、タイマーを起動してから、あらかじめ設定された時間が経過したと判定した場合、電力値取得部１３０はタイマーを停止させ（ステップＳ３７）、ステップＳ３１にて、電力計６００が測定した重要負荷５１０の消費電力値を電力計６００から取得する。
【００５６】
このように、負荷の消費電力を測定する電力計を設け、測定された消費電力値を所定のタイミングで取得し、取得した消費電力値に基づいて稼働させる電池数等を算出するため、負荷の消費電力が変動した場合であっても、その変動に応じた稼働制御を行うことができる。
（第５の実施の形態）
【００５７】
図１７は、本発明の電力制御装置の第５の実施の形態を示す図である。本形態における電力制御装置１０４は図１７に示すように、電力系統および組電池２００−１〜２００−４から一般負荷５００および重要負荷５１０へ電力が供給される電力制御システムに用いられている。組電池２００−１〜２００−４、総合ＢＭＵ２１０、電力調整装置３００、ＵＰＳ４００、一般負荷５００および重要負荷５１０は、図３に示したものと同じものである。組電池２００−１〜２００−４それぞれにＤＣＤＣ変換器２４０−１〜２４０−４それぞれが接続されている。ＤＣＤＣ変換器２４０−１〜２４０−４は、組電池２００−１〜２００−４の出力電圧値を互いに揃える。
【００５８】
図１８は、図１７に示した電力制御装置１０４の内部構成の一例を示す図である。図１７に示した電力制御装置１０４は図１８に示すように、割合算出部１１４と、稼働部１２４と、通信部１４０とを具備している。なお、図１８には、図１７に示した電力制御装置１０４に設けられた構成要素のうち、本実施の形態に関わる主要な構成要素の一例を示す。
【００５９】
割合算出部１１４は、一般負荷５００および重要負荷５１０の消費電力値に基づいて、通信部１４０が信号を送信する間隔を算出する。具体的には、割合算出部１１４は、一般負荷５００および重要負荷５１０の消費電力値が小さいほど、通信部１４０が信号を送信する間隔を長い値に算出する。稼働部１２４は、割合算出部１１４が算出した間隔で、通信部１４０から信号を送信させる。通信部１４０は、電力調整装置３００や、総合ＢＭＵ２１０等の他の装置との間で通信を行う。また、電力系統から重要負荷５１０への電力の供給ができない場合、割合算出部１１４は、重要負荷５１０の消費電力値に基づいて、通信部１４０が信号を送信する間隔を算出する。このような信号の送信間隔を制御することで、通信相手となる電力調整装置３００や、総合ＢＭＵ２１０、組電池２００−１〜２００−４等の他の装置における通信動作の時間的な割合が制御されることとなる。
【００６０】
以下に、図１７に示した電力制御装置１０４における電力制御方法について説明する。図１９は、図１７に示した電力制御装置１０４における電力制御方法を説明するためにフローチャートである。
【００６１】
まず、割合算出部１１４が、一般負荷５００および重要負荷５１０の消費電力値を取得する（ステップＳ４１）。ここで、一般負荷５００および重要負荷５１０の消費電力値は、一般負荷５００および重要負荷５１０が通常消費している電力に基づいてあらかじめ算出された値であり、電力制御装置１０４に具備されたメモリ（不図示）や、電力制御装置１０４からアクセス可能な記憶装置に記憶されている。例えば、電力制御装置１０４が、一般負荷５００および重要負荷５１０の消費電力を常時測定し、季節ごと、曜日ごと、時間帯等の区分けに基づいて統計を取り、それぞれの区分けにおいて平均値を算出する等の所定の計算を行い、その結果をあらかじめ記憶しておくものであっても良い。
【００６２】
すると、割合算出部１１４は、取得した消費電力値に基づいて、通信部１４０が信号を送信する間隔を算出する（ステップＳ４２）。割合算出部１１４は、算出した送信間隔を稼働部１２４へ通知する。すると、稼働部１２４は、タイマーを起動する（ステップＳ４３）。
【００６３】
その後、稼働部１２４が、タイマーを起動してから、割合算出部１１４から通知されてきた送信間隔が示す時間が経過したかどうかを判定する（ステップＳ４４）。稼働部１２４が、タイマーを起動してから、割合算出部１１４から通知されてきた送信間隔が示す時間が経過したと判定した場合、稼働部１２４はタイマーを停止させ（ステップＳ４５）、通信部１４０から信号を送信させる（ステップＳ４６）。稼働部１２４が通信部１４０から送信させる信号は、例えば、電力調整装置３００との間で信号のやり取りを開始するための信号や、総合ＢＭＵ２１０に対して総合ＢＭＵ２１０と組電池２００−１〜２００−４との間で信号のやり取りを開始するための信号であっても良い。つまり、この信号は、当該信号の受信をトリガとして、一連の通信動作が開始・終了するための信号で良い。通信部１４０が一連の通信を行う信号の送信を終えると、稼働部１２４は、再度ステップＳ４３にてタイマーを起動する。
【００６４】
このように、負荷の消費電力値に応じて電力制御システムにおける通信の頻度を制御することで、重要負荷に必要な電力供給を行いながら、省電力化を実現することができる。
【００６５】
上述した電力制御装置１００〜１０４それぞれに設けられた各構成要素が行う処理は、目的に応じてそれぞれ作製された論理回路で行うようにしても良い。また、処理内容を手順として記述したコンピュータプログラム（以下、プログラムと称する）を電力制御装置１００〜１０４それぞれにて読取可能な記録媒体に記録し、この記録媒体に記録されたプログラムを電力制御装置１００〜１０４それぞれに読み込ませ、実行するものであっても良い。電力制御装置１００〜１０４それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｃ）などの移設可能な記録媒体の他、電力制御装置１００〜１０４それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、電力制御装置１００〜１０４それぞれに設けられたＣＰＵ（Ｃｅｎｔｒａｌ  Ｐｒｏｃｅｓｓｉｎｇ  Ｕｎｉｔ）（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００６６】
上記の実施の形態の一部または全部は、以下の付記のようにも記載され得るが、以下には限られない。
（付記１）複数の組電池の稼働の割合と、前記組電池から負荷へ電力を供給するために電力調整を行う電力調整装置の稼働の割合とを、前記負荷の消費電力に基づいて算出する割合算出部と、
前記割合算出部が算出した割合に基づいて、前記組電池と前記電力調整装置とを稼働させる稼働部とを有する電力制御装置。
（付記２）前記割合算出部は、前記負荷の消費電力が小さいほど、前記組電池の稼働の割合および前記電力調整装置の稼働の割合を低い値に算出する、付記１に記載の電力制御装置。
（付記３）前記割合算出部は、前記負荷の消費電力に基づいて、前記複数の組電池のうち稼働する組電池の組電池数を算出し、
前記稼働部は、前記割合算出部が算出した組電池数の組電池を稼働させる、付記１または付記２に記載の電力制御装置。
（付記４）前記稼働部は、前記複数の組電池それぞれに設けられたスイッチを開閉することで、稼働する組電池数を制御する、付記３に記載の電力制御装置。
（付記５）前記電力調整装置が複数の回路から構成されている場合、前記割合算出部は、前記負荷の消費電力に基づいて、前記電力調整装置を構成する複数の回路のうち稼働する回路の回路数を算出し、
前記稼働部は、前記割合算出部が算出した回路数の回路を稼働させる、付記１から４のいずれか１項に記載の電力制御装置。
（付記６）前記負荷が、電力系統から電力が供給される一般負荷と、該一般負荷よりも優先的に電力が供給される重要負荷とから構成され、前記電力系統から前記重要負荷への電力の供給ができない場合、前記割合算出部は、前記複数の組電池の稼働の割合と前記電力調整装置の稼働の割合とを算出する、付記１から５のいずれか１項に記載の電力制御装置。
（付記７）電力計が測定した前記負荷の消費電力の値を取得する電力値取得部を有し、
前記割合算出部は、前記電力値取得部が取得した消費電力の値に基づいて、前記複数の組電池の稼働の割合と前記電力調整装置の稼働の割合とを算出する、付記１から６のいずれか１項に記載の電力制御装置。
（付記８）前記電力値取得部は、前記電力計へ前記負荷の消費電力の値を要求し、該要求に対して前記電力計から出力されてきた前記負荷の消費電力の値を取得する、付記７に記載の電力制御装置。
（付記９）前記電力値取得部は、所定のタイミングで前記電力計へ前記負荷の消費電力の値を要求する、付記８に記載の電力制御装置。
（付記１０）前記電力値取得部は、前記電力計が測定した前記負荷の消費電力の値を監視し、前記電力計が測定した前記負荷の消費電力の値に所定の幅の変動が生じたときに、該変動が生じた消費電力の値を取得する、付記７に記載の電力制御装置。
（付記１１）他の装置と当該電力制御装置との間で通信を行う通信部を有し、
前記割合算出部は、前記負荷の消費電力に基づいて、前記通信部が信号を送信する間隔を算出し、
前記稼働部は、前記割合算出部が算出した間隔で、前記通信部から信号を送信させる、付記１から１０のいずれか１項に記載の電力制御装置。
（付記１２）電力を消費する負荷と、
複数の組電池と、
前記組電池から前記負荷へ電力を供給するために電力調整を行う電力調整装置と、
前記複数の組電池の稼働の割合と前記電力調整装置の稼働の割合とを、前記負荷の消費電力に基づいて算出し、前記算出した割合に基づいて前記組電池と前記電力調整装置とを稼働させる電力制御装置とを有する電力制御システム。
（付記１３）複数の組電池の稼働の割合と、前記組電池から負荷へ電力を供給するために電力調整を行う電力調整装置の稼働の割合とを、前記負荷の消費電力に基づいて算出する処理と、
前記算出した割合に基づいて、前記組電池と前記電力調整装置とを稼働させる処理とを行う電力制御方法。
（付記１４）コンピュータに、
複数の組電池の稼働の割合と、前記組電池から負荷へ電力を供給するために電力調整を行う電力調整装置の稼働の割合とを、前記負荷の消費電力に基づいて算出する手順と、
前記算出した割合に基づいて、前記組電池と前記電力調整装置とを稼働させる手順とを実行させるためのプログラム。
【符号の説明】
【００６７】
１００〜１０４    電力制御装置
１１０〜１１４    割合算出部
１２０〜１２４    稼働部
１３０    電力値取得部
１４０    通信部
２００−１〜２００−４    組電池
２０１    監視部
２０２    遮断ＳＷ
２０３−１〜２０３−ｎ    電池セル
２０４    状態センス線
２１０    総合ＢＭＵ
２２０−１〜２２０−４    ＳＷ
２３０，２４０−１〜２４０−４    ＤＣＤＣ変換器
３００，３０１    電力調整装置
３１０    インバータ
３２０    ＢＰリレー
３３０−１〜３３０−３    ＰＣＳ回路
４００    ＵＰＳ
５００    一般負荷
５１０    重要負荷
６００    電力計
【図１】
0006590401.tif 000002
【図２】
0006590401.tif 000003
【図３】
0006590401.tif 000004
【図４】
0006590401.tif 000005
【図５】
0006590401.tif 000006
【図６】
0006590401.tif 000007
【図７】
0006590401.tif 000008
【図８】
0006590401.tif 000009
【図９】
0006590401.tif 000010
【図１０】
0006590401.tif 000011
【図１１】
0006590401.tif 000012
【図１２】
0006590401.tif 000013
【図１３】
0006590401.tif 000014
【図１４】
0006590401.tif 000015
【図１５】
0006590401.tif 000016
【図１６】
0006590401.tif 000017
【図１７】
0006590401.tif 000018
【図１８】
0006590401.tif 000019
【図１９】
0006590401.tif 000020